(57)【要約】【課題】携帯端末の盗難を適正に防止する。【解決手段】展示用携帯端末２にインストールされる防犯アプリ２５であって、展示用携帯端末２は、揺れを検知する加速度センサ２３と、充電ケーブル１０２を含む装着品が抜かれたことを検知する着脱センサ２４と、を備え、展示用携帯端末２を、加速度センサ２３で揺れが検知されている最中に、装着品が抜かれたことが着脱センサ２４で検知された場合に、警報を出力する警報手段として機能させる。【選択図】  図１
2018117228.tif 000002
【特許請求の範囲】
【請求項１】
携帯端末にインストールされる盗難防止アプリケーションプログラムであって、
前記携帯端末は、揺れを検知する加速度センサと、充電ケーブルとＳＩＭカードとイヤホンジャックを含む装着品が抜かれたことを検知する着脱センサと、を備え、
前記携帯端末を、
前記加速度センサで揺れが検知されている最中に、前記装着品が抜かれたことが前記着脱センサで検知された場合に、警報を出力する警報手段として機能させるための盗難防止アプリケーションプログラム。
【請求項２】
揺れを検知する加速度センサと、充電ケーブルとＳＩＭカードとイヤホンジャックを含む装着品が抜かれたことを検知する着脱センサと、を備え、
所定のモードにおいて、前記加速度センサで揺れが検知されている最中に、前記装着品が抜かれたことが前記着脱センサで検知された場合に、警報を出力することを特徴とする携帯端末。
【発明の詳細な説明】
【技術分野】
【０００１】
本発明は、携帯端末の盗難を防止するための盗難防止アプリケーションプログラムと、盗難防止機能が付いた携帯端末に関する。
【背景技術】
【０００２】
移動体通信事業者のショップなどには、スマートフォン（多機能携帯端末）を含む携帯端末が展示され、来場者が携帯端末を自由に触ったり操作したりできるようになっている。しかしながら、展示している携帯端末が盗難に遭う、という被害が後を絶たない。このため、携帯端末が所定の移動方法で移動しているか否かを判定し、所定の移動方法で移動している場合には、携帯端末の位置データと盗難の可能性を通知するシステム（例えば、特許文献１）が知られている。
【先行技術文献】
【特許文献】
【０００３】
【特許文献１】特開２０１５−０７０４４４号公報
【発明の概要】
【発明が解決しようとする課題】
【０００４】
しかしながら、特許文献１に記載のシステムでは、携帯端末が所定の移動方法で移動しているか否かによって盗難を判定しているため、盗難を未然に防ぐことが困難である。すなわち、予め想定・設定された移動方法以外の移動方法で盗難が行われた場合には、盗難と判定できないばかりでなく、所定距離移動しなければ盗難と判定できないため、窃盗犯がショップなどを出る前に盗難を未然に防ぐ、ということが困難であった。
【０００５】
そこでこの発明は、盗難を適正に防止することが可能な盗難防止アプリケーションプログラムおよび携帯端末を提供することを目的とする。
【課題を解決するための手段】
【０００６】
上記目的を達成するために請求項１に記載の発明は、携帯端末にインストールされる盗難防止アプリケーションプログラムであって、前記携帯端末は、揺れを検知する加速度センサと、充電ケーブルとＳＩＭカードとイヤホンジャックを含む装着品が抜かれたことを検知する着脱センサと、を備え、前記携帯端末を、前記加速度センサで揺れが検知されている最中に、前記装着品が抜かれたことが前記着脱センサで検知された場合に、警報を出力する警報手段として機能させるための盗難防止アプリケーションプログラムである。
【０００７】
請求項２に記載の発明は、揺れを検知する加速度センサと、充電ケーブルとＳＩＭカードとイヤホンジャックを含む装着品が抜かれたことを検知する着脱センサと、を備え、所定のモードにおいて、前記加速度センサで揺れが検知されている最中に、前記装着品が抜かれたことが前記着脱センサで検知された場合に、警報を出力することを特徴とする携帯端末である。
【発明の効果】
【０００８】
請求項１、２に記載の発明によれば、移動体通信事業者のショップなどにおいて、携帯端末が揺れながら充電ケーブルやＳＩＭカードなどが抜かれると、盗難の可能性があるとして警報が出力されるため、盗難を適正に防止することが可能となる。すなわち、移動体通信事業者のショップなどでは、通常、展示中に充電ケーブルやＳＩＭカードなど抜かれることはなく、充電ケーブルなどが自然に緩んで外れたとしても、携帯端末は静止したままで動かない。つまり、携帯端末が揺れながら充電ケーブルなどが抜かれたということは、盗難の可能性が高く、このような状態で警報を出力することで、盗難を適正に防止することが可能となる。
【０００９】
しかも、加速度センサや着脱センサは、既製・既存の携帯端末に備わっているため、ハードウエアを追加する必要がなく、容易かつ低コストで盗難を防止することが可能となる。
【図面の簡単な説明】
【００１０】
【図１】この発明の実施の形態に係る盗難防止システムを示す概略構成図である。
【図２】図１のシステムにおける展示用携帯端末を示す概略構成ブロック図である。
【発明を実施するための形態】
【００１１】
以下、この発明を図示の実施の形態に基づいて説明する。
【００１２】
図１は、この発明の実施の形態に係る盗難防止システム１を示す概略構成図である。この盗難防止システム１は、移動体通信事業者のショップなどに設置され、展示用携帯端末（携帯端末）２の盗難を防止するためのシステムであり、複数の展示用携帯端末２とホスト用携帯端末３とを備える。
【００１３】
展示用携帯端末２は、展示ホルダ１０１を介して展示テーブル１００に載置され、充電ケーブル１０２が接続されて常に充電されており、この状態で、来場者Ｇが自由に触ったり操作したりできるようになっている。この実施の形態では、展示用携帯端末２がスマートフォンの場合について説明し、盗難防止機能を備える点を除いて既製・既存のスマートフォンと同等の構成であるため、盗難防止機能について主として以下に説明する。
【００１４】
展示用携帯端末２は、図２に示すように、主として、表示部２１と、スピーカー２２と、加速度センサ２３と、着脱センサ２４と、防犯アプリ（盗難防止アプリケーションプログラム）２５と、これらを制御などする中央処理部２６と、を備える。
【００１５】
表示部２１は、各種文字や画像・映像を表示するディスプレイであり、スピーカー２２は、各種の音を出力する発音器である。加速度センサ２３は、展示用携帯端末２２の揺れ（動き）を検知するセンサであり、着脱センサ２４は、装着品が抜かれたことを検知するセンサである。具体的に、この実施の形態では、装着品としての充電ケーブル１０２が抜かれたこと（充電状態から非充電状態になったこと）を検知するセンサと、装着品としてのＳＩＭカードが抜かれたことを検知するセンサと、装着品としてのイヤホンジャックが抜かれたことを検知するセンサとを、それぞれ備える。
【００１６】
防犯アプリ２５は、展示用携帯端末２にインストールされるアプリケーションプログラムであって、展示用携帯端末２を、加速度センサ２３で揺れが検知されている最中に、装着品が抜かれたことが着脱センサ２４で検知された場合に、警報を出力する警報手段として機能させるためのアプリケーションプログラムである。
【００１７】
すなわち、防犯アプリ２５が起動されている防犯モード（所定のモード）において、展示用携帯端末２の揺れ（所定以上の揺れ）が加速度センサ２３によって検知されている最中に、充電ケーブル１０２、ＳＩＭカードおよびイヤホンジャックのいずれかが抜かれたことが着脱センサ２４で検知された場合に、盗難の可能性があるとして警報を出力させるものである。ここで、警報の出力（警報手段）として、スピーカー２２から警報音を発しさせるとともに、該展示用携帯端末２の識別情報と盗難の可能性（盗難注意）を、ホスト用携帯端末３に通知する。また、ショップなどで展示用携帯端末２が展示されている間は、防犯アプリ２５を起動して常に防犯モードにする。
【００１８】
さらに、防犯アプリ２５は、防犯モードにおいて、次のように展示用携帯端末２を機能させる。第１に、展示用携帯端末２の電源が切れないようにする。第２に、警報音の発生中は、該展示用携帯端末２を操作しても警報音が止まらないようにする。第３に、暗証番号の入力などの特殊操作（来場者Ｇが知得できない操作）をしなければ、防犯アプリ２５を展示用携帯端末２から削除等できないようにする。第４に、スリープ状態でも表示部２１に、「防犯モード中に充電ケーブルなどを抜くと、アラームが鳴ります」などというメッセージをＰＯＰ表示する。
【００１９】
ホスト用携帯端末３は、ショップの店員Ｈなどが所持する携帯端末であり、各展示用携帯端末２と通信自在に接続されている。そして、各展示用携帯端末２から盗難注意を受信すると、警報音を発するとともに、盗難の可能性と対象の展示用携帯端末２の識別情報を表示部に表示する。さらに、この状態で、所定の操作をすることで、自己の警報音および表示を停止させるとともに、対象の展示用携帯端末２の警報音を停止させられるようになっている。
【００２０】
このように、この展示用携帯端末２および防犯アプリ２５によれば、移動体通信事業者のショップなどにおいて、展示用携帯端末２が揺れながら充電ケーブル１０２やＳＩＭカードなどが抜かれると、盗難の可能性があるとして警報が出力されるため、盗難を適正に防止することが可能となる。すなわち、移動体通信事業者のショップなどでは、通常、展示中に充電ケーブル１０２やＳＩＭカードなどが抜かれることはなく、充電ケーブル１０２などが自然に緩んで外れたとしても、展示用携帯端末２は静止したままで動かない。つまり、展示用携帯端末２が揺れながら充電ケーブル１０２などが抜かれたということは、盗難の可能性が高く、このような状態で警報を出力することで、盗難を適正に（未然に）防止することが可能となる。
【００２１】
しかも、加速度センサ２３や着脱センサ２４は、既製・既存の携帯端末・スマートフォンに備わっているため、ハードウエアを追加する必要がなく、防犯アプリ２５のみをインストールするだけでよいため、容易かつ低コストで盗難を防止することが可能となる。
【００２２】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、展示用携帯端末２がスマートフォンの場合について説明したが、その他の携帯端末であってもよい。
【符号の説明】
【００２３】
１        盗難防止システム
２        展示用携帯端末（携帯端末）
２１      表示部
２２      スピーカー
２３      加速度センサ
２４      着脱センサ
２５      防犯アプリ（盗難防止アプリケーションプログラム）
２６      中央処理部
３        ホスト用携帯端末
１００    展示テーブル
１０１    展示ホルダ
１０２    充電ケーブル（装着品）
Ｇ        来場者
Ｈ        店員
【図１】
2018117228.tif 000003
【図２】
2018117228.tif 000004